(57)【要約】      （修正有）【課題】安価で確実に発熱体を支持でき、発熱ロスを少なくできる電気炉の提供。【解決手段】炉壁１内面にその一部を埋め込み他部を上記炉壁１内面から突出せしめた螺旋体５内に発熱体２を挿入し支持せしめる。上記螺旋体５は円形，楕円形，三角形または四辺形を描きながら螺旋を形成している。上記発熱体２の一部を上記炉壁１内面に埋め込む。上記発熱体２の断面形状は円形，楕円形，三角形または四辺形である。【選択図】図２
2005207714.tif 000002
【特許請求の範囲】
【請求項１】
炉壁と、この炉壁内にその一部を埋め込み他部を炉壁内面から突出せしめた螺旋体と、上記螺旋体の上記突出部分内に挿入せしめた発熱体とよりなることを特徴とする電気炉。
【請求項２】
上記螺旋体が円形を描きながら螺旋を形成していることを特徴とする請求項１記載の電気炉。
【請求項３】
上記螺旋体が楕円形を描きながら螺旋を形成していることを特徴とする請求項１記載の電気炉。
【請求項４】
上記螺旋体が三角形を描きながら螺旋を形成していることを特徴とする請求項１記載の電気炉。
【請求項５】
上記螺旋体が四辺形を描きながら螺旋を形成していることを特徴とする請求項１記載の電気炉。
【請求項６】
上記炉壁内に上記螺旋体の略１／２以上が埋め込まれていることを特徴とする請求項１、２、３、４または５記載の電気炉。
【請求項７】
上記発熱体の一側面側が上記炉壁内に埋め込まれていることを特徴とする請求項１、２、３、４、５または６記載の電気炉。
【請求項８】
上記発熱体の断面形状が円形であることを特徴とする請求項１、２、３、４、５、６または７記載の電気炉。
【請求項９】
上記発熱体の断面形状が楕円形であることを特徴とする請求項１、２、３、４、５、６または７記載の電気炉。
【請求項１０】
上記発熱体の断面形状が三角形であることを特徴とする請求項１、２、３、４、５、６または７記載の電気炉。
【請求項１１】
上記発熱体の断面形状が四辺形であることを特徴とする請求項１、２、３、４、５、６または７記載の電気炉。
【発明の詳細な説明】
【技術分野】
【０００１】
本発明は電気炉、特に、安価で確実に発熱体を支持し、発熱ロスを少なくできる電気炉に関するものである。
【背景技術】
【０００２】
従来、電気炉用発熱体の支持構造としては特許文献１のものが知られている。
【特許文献１】特開平７−１８３２３８号
【０００３】
図１２及び図１３はこのような従来の電気炉を示し、１は電気炉の筒状の断熱炉壁、２は上記断熱炉壁１の内周面に沿って螺旋状に巻回配置した抵抗発熱体、３は上記断熱炉壁１の内面にその円周方向に一定間隔離間して固定した複数の抵抗発熱体支持体、４は上記支持体３に設けた、上記抵抗発熱体２を貫通支持せしめる孔である。上記支持体３は図１３に示すように、水平断面が台形状でありその炉心側が先細りとなるように構成されている。
【０００４】
上記従来の電気炉においては、上記支持体３が台形状であるから、水平断面が矩形状の支持体に比べて、上記支持体３の孔４と上記抵抗発熱体２との接触面積を少なくし抵抗発熱体２の露出面積を広げることができるので、熱放射量を上げることができるとともに、支持体３は小さく支持体３の蓄熱量を低減することができる。
【発明の開示】
【発明が解決しようとする課題】
【０００５】
然しながら、上記電気炉においてもなお放熱ロスを少なくするには不十分であった。
【０００６】
本発明は上記の欠点を除くようにしたものである。
【課題を解決するための手段】
【０００７】
本発明の電気炉は、炉壁と、この炉壁内にその一部を埋め込み他部を炉壁内面から突出せしめた螺旋体と、上記螺旋体の上記突出部分内に挿入せしめた発熱体とよりなることを特徴とする。
【０００８】
上記螺旋体は円形，楕円形，三角形又は四辺形を描きながら螺旋を形成していることを特徴とする。
【０００９】
また、本発明の電気炉は、上記炉壁内に上記螺旋体の略１／２以上が埋め込まれていることを特徴とする。
【００１０】
また、本発明の電気炉においては、上記発熱体の一側面側が上記炉壁内に埋め込まれていることを特徴とする。
【００１１】
また、本発明の電気炉の発熱体の断面形状は、円形，楕円形，三角形または四辺形であることを特徴とする。
【発明の効果】
【００１２】
本発明の電気炉によれば、安価で確実に発熱体を支持できる。また、発熱体を螺旋体に挿入して支持するので接触面積を少なくでき、熱放散がよく発熱体の部分過熱を防止することができ、長寿命とすることができる。また、炉壁への発熱体の埋め込み量を調整することにより発熱体の発熱量を調整することができる。また、発熱体の断面形状を変えることにより加熱効率を高めることができる。また、螺旋体の螺旋の描く形を変えることにより発熱体を適切に支持できるという大きな利益がある。
【発明を実施するための最良の形態】
【００１３】
以下図面によって本発明の実施例を説明する。
【実施例１】
【００１４】
本発明においては図１及び図２に示すように、電気抵抗発熱体２の外周に耐熱線からなる螺旋体５を楕円形を描きながら巻回し、この螺旋体５の直径方向の一部をセラミックファイバからなる断熱炉壁１内に埋め込み、他部を上記断熱炉壁１内面から炉心側に突出せしめ、上記電気抵抗発熱体２を上記螺旋体５により支持せしめる。
【００１５】
本発明のこの実施例によれば、安価で確実に発熱体を支持でき、また、電気抵抗発熱体２は耐熱線からなる螺旋体５によって支持されるので接触面積を少なくでき、熱放散がよく抵抗発熱体２の部分過熱を防止することができ、長寿命とすることができる。
【００１６】
また、螺旋体５の線径、螺旋径、螺旋ピッチを適宜変えることにより適切な電気抵抗発熱体２の支持が可能で、熱効率を向上せしめることができる。
【００１７】
なお、楕円形を描きながら螺旋を形成する螺旋体５を用いる代りに電気抵抗発熱体２を適切に支持するために円形や、図３や図４に示すように三角形や、矩形若しくは台形等の四辺形を描きながら螺旋を形成する螺旋体５を用いてもよい。
【００１８】
また、上記電気抵抗発熱体２を長期に亘って安定して確実に支持するために、図５に示すように、上記螺旋体５を上記断熱炉壁１内にその螺旋体の略１／２以上埋め込むことが望ましい。
【実施例２】
【００１９】
図６は本発明の第２の実施例を示し、この実施例においては、上記螺旋体５によって上記電気抵抗発熱体２を支持せしめることなく、上記電気抵抗発熱体２の一側面側を断熱炉壁１内に埋め込む。
【００２０】
この実施例においては上記電気抵抗発熱体２の埋め込み量を調整することにより上記電気抵抗発熱体２の発熱量を調整することができる。
【００２１】
なお、電気抵抗発熱体２の熱放射表面積を増大せしめて加熱効率向上を図るために、図７に示すように、電気抵抗発熱体２の断面積の略１／２以上を上記断熱炉壁１内面から炉心側に露出するように上記電気抵抗発熱体２を埋め込む事が望ましい。
【実施例３】
【００２２】
図８は本発明の第３の実施例を示し、この実施例においては、断面形状が円形である電気抵抗発熱体をプレス加工して断面形状が長辺と短辺とを有する矩形や台形等の四辺形である電気抵抗発熱体６を形成せしめ、上記電気抵抗発熱体６の外周に耐熱線からなる螺旋体５を円形を描きながら巻回し、この螺旋体５の直径方向の一部をセラミックファイバからなる断熱炉１内に埋め込み、他部を上記断熱炉壁１内面から炉心側に突出せしめ、上記電気抵抗発熱体６をその長辺が炉心方向に面する状態で上記螺旋体５により支持せしめる。
【００２３】
この実施例においては電気抵抗発熱体６の長辺が炉心方向に面しているので、炉心におかれた被発熱体（図示せず）に対する発熱面積が大きく加熱効率を向上せしめることができる。
【００２４】
なお、上記電気抵抗発熱体６の短辺の長さと長辺の長さとの比率を変更せしめることにより被発熱体の加熱効率を変更せしめることができ、例えば、短辺の長さに対して長辺の長さをより長くすれば、被発熱体の加熱効率を一層向上せしめることができる。
【００２５】
また、図９に示すように、電気抵抗発熱体６の断面形状を、楕円形としてもよい。
【００２６】
また、円形を描きながら螺旋を形成した螺旋体５を用いる代わりに、電気抵抗発熱体６を適切に支持するために楕円形や、図１０や図１１に示すように三角形や、矩形若しくは台形等の四辺形を描きながら螺旋を形成した螺旋体５を用いてもよい。
【図面の簡単な説明】
【００２７】
【図１】本発明の電気炉に用いる螺旋体と発熱体の斜視図である。
【図２】本発明の電気炉の要部の拡大縦断側面図である。
【図３】本発明の電気炉の変形例の要部の拡大縦断側面図である。
【図４】本発明の電気炉の他の変形例の要部の拡大縦断側面図である。
【図５】本発明の電気炉の更に他の変形例の要部の拡大縦断側面図である。
【図６】本発明の電気炉の他の実施例の要部の拡大縦断側面図である。
【図７】本発明の電気炉の更に他の実施例の要部の拡大縦断側面図である。
【図８】本発明の電気炉の更に他の実施例の要部の拡大縦断側面図である。
【図９】本発明の電気炉の更に他の実施例の要部の拡大縦断側面図である。
【図１０】本発明の電気炉の更に他の実施例の変形例の要部の拡大縦断側面図である。
【図１１】本発明の電気炉の更に他の実施例の他の変形例の要部の拡大縦断側面図である。
【図１２】従来の電気炉の一部を断面とした斜視図である。
【図１３】従来の電気炉の要部の斜視図である。
【符号の説明】
【００２８】
１  断熱炉壁
２  抵抗発熱体
３  支持体
４  孔
５  螺旋体
６  抵抗発熱体
【図１】
2005207714.tif 000003
【図２】
2005207714.tif 000004
【図３】
2005207714.tif 000005
【図４】
2005207714.tif 000006
【図５】
2005207714.tif 000007
【図６】
2005207714.tif 000008
【図７】
2005207714.tif 000009
【図８】
2005207714.tif 000010
【図９】
2005207714.tif 000011
【図１０】
2005207714.tif 000012
【図１１】
2005207714.tif 000013
【図１２】
2005207714.tif 000014
【図１３】
2005207714.tif 000015